(57)【要約】【課題】合理的かつ効果的な統合型エアコン装置を提供する。【解決手段】１つまたは複数のエアコン装置と、エアコン装置の運転動作を制御する１つのＣＰＵと、ＣＰＵ間の運転データの送受信を行う送受信部と、エアコン装置の運転状態、運転状況の各データを表示する表示装置と、運転状態、運転状況に基づいたブザー音を出力する音声出力装置と、運転プログラム、運転状態、運転状況の各データを格納するデータ格納装置と、エアコン運転動作と連携した映像演出装置と音響演出装置と芳香演出装置とを備える。【選択図】図１
2008101801.tif 000002
【特許請求の範囲】
【請求項１】
１つまたは複数のエアコン装置と、前記エアコン装置と独立し前記エアコン装置の運転動作を制御する１つのＣＰＵと、前記エアコン装置に付帯し前記ＣＰＵ間の運転データの送受信を行う送受信部と、前記ＣＰＵに接続され、前記エアコン装置の運転状態、運転状況の各データを表示する表示装置と、前記エアコン装置の運転状態、運転状況に基づいたブザー音を出力する音声出力装置と、前記エアコン装置の運転プログラム、運転状態、運転状況の各データを格納するデータ格納装置と、前記エアコン装置の運転動作と連携して映像空間を演出する映像演出装置と、前記エアコン装置の運転動作と連携して音響空間を演出する音響演出装置と、前記エアコン装置の運転動作と連携して芳香空間を演出する芳香演出装置とを備え、前記データ格納装置は、データ受信装置と接続されており、リアルタイムでデータ格納装置の記憶データを追加、更新することを特徴とする統合型エアコン装置。
【請求項２】
前記データ受信装置は、インターネット接続装置と接続されており、リアルタイムでインターネットに接続しデータ追加、更新を行うことを特徴とする請求項１記載の統合型エアコン装置。
【請求項３】
前記仮想現実マルチメディア空間は、仮想的な映像、音響、芳香、空質、気流の統合制御により、景観、人、物、生物および架空創造の世界を家庭内に実現することを特徴とする請求項１〜２のいずれか１項記載の統合型エアコン装置。
【請求項４】
前記空質、気流の統合制御は、エアコン装置により行うことを特徴とする請求項３記載の統合型エアコン装置。
【請求項５】
前記ＣＰＵ、前記表示装置、前記音声出力装置、前記データ格納装置として家庭用パーソナルコンピュータを適用することにより、前記ＣＰＵ、前記データ格納装置、前記映像演出装置、前記音響演出装置、前記芳香演出装置、前記エアコン装置を統合制御して仮想現実マルチメディア空間を創造する機能を有することを特徴とする請求項１記載の統合型エアコン装置。
【発明の詳細な説明】
【技術分野】
【０００１】
本発明は、家庭用ネットワーク家電における統合型エアコン装置に関するものである。
【背景技術】
【０００２】
従来、家庭用エアコン装置に使用されている主なシステム構成は図２のようになっており、エアコン装置１０には、ＣＰＵ（中央演算処理装置）１１、表示装置１２、音声出力装置１３、データ格納装置１４が具備されている。そして、このように構成されたエアコン装置１０が複数台ある場合でも、各エアコン装置１０は独立した個別の運転動作を行ってきた。かかる先行技術は、文献公知発明に係るものでないため、記載すべき先行技術文献情報はない。
【発明の開示】
【発明が解決しようとする課題】
【０００３】
しかし、このようなシステム構成ではエアコン装置毎にＣＰＵ、表示装置、音声出力装置、データ格納装置をつける必要があるため各エアコン装置のコストが大きく増大することになる。従って、それぞれのＣＰＵ、表示装置、音声出力装置、データ格納装置は限られた性能、容量、サイズのものしか備えることしかできず、より一層の高性能化、高機能化が困難であるという課題に直面していた。また、複数台のエアコン装置のそれぞれを連携させた運転動作を行わせる場合には、それぞれ個別の独立しているＣＰＵ動作を連携させなければならず、非常に手間がかかり、合理的かつ効率的な連携動作がまず得られないという大きな課題を有していた。
【０００４】
本発明は、このような点に鑑みてなされたもので、コストアップせず、合理的かつ効率的な連携動作を確保でき、できる限り資源の有効活用を図れる統合型エアコン装置を提供するものである。
【課題を解決するための手段】
【０００５】
１つまたは複数のエアコン装置と、前記エアコン装置と独立し前記エアコン装置の運転動作を制御する１つのＣＰＵと、前記エアコン装置に付帯し前記ＣＰＵ間の運転データの送受信を行う送受信部と、前記ＣＰＵに接続され、前記エアコン装置の運転状態、運転状況の各データを表示する表示装置と、および前記エアコン装置の運転状態、運転状況に基づいたブザー音を出力する音声出力装置と、および前記エアコン装置の運転プログラム、運転状態、運転状況の各データを格納するデータ格納装置と、および前記エアコン装置の運転動作と連携して映像空間を演出する映像演出装置と、および前記エアコン装置の運転動作と連携して音響空間を演出する音響演出装置と、および前記エアコン装置の運転動作と連携して芳香空間を演出する芳香演出装置とを備え、前記データ格納装置は、データ受信装置と接続されており、リアルタイムでデータ格納装置の記憶データを追加、更新する。
【０００６】
また、前記データ受信装置は、インターネット接続装置と接続されており、リアルタイムでインターネットに接続しデータ追加、更新を行う。
【０００７】
また、前記仮想現実マルチメディア空間は、仮想的な映像、音響、芳香、空質、気流の統合制御により、景観、人、物、生物および架空創造の世界を家庭内に実現する。
【０００８】
また、前記空質、気流の統合制御は、エアコン装置により行う。
【０００９】
また、前記ＣＰＵ、表示装置、音声出力装置、データ格納装置として家庭用パーソナル
コンピュータを適用し、前記ＣＰＵ、データ格納装置、映像演出装置、音響演出装置、芳香演出装置、エアコン装置を統合制御して仮想現実マルチメディア空間を創造する機能を有する。
【発明の効果】
【００１０】
本発明の統合型エアコン装置は、新しいコンセプトの映像、音響、芳香空間を演出できるので消費者の購買意欲を高め、企業経営に貢献できる。また、記憶データを追加、更新できるので、いつでもタイムリーな映像、音響、芳香空間を演出でき、購買意欲を高めることができる。また、インターネットを介して記憶データを追加、更新できるので、さらにタイムリーかつ低価格で映像、音響、芳香空間を演出でき、購買意欲をさらに高めることができる。また、仮想現実マルチメディア空間を創造することで、世界各地の風景、景色および気候や、仮想現実の世界、宇宙空間、おとぎの夢物語などを消費者にいつでも提供でき、統合型エアコン装置の購買意欲を飛躍的に高め、企業経営、企業知名度向上に貢献できる。また、空質制御、気流制御にエアコン装置を使用するので、改めて空質制御、気流制御用の特別な機器を追加する必要がなく装置全体が低価格となり、統合型エアコン装置の購買意欲を飛躍的に高め、企業経営、企業知名度の向上に貢献できる。
【発明を実施するための最良の形態】
【００１１】
第１の発明は、１つまたは複数のエアコン装置と、前記エアコン装置と独立し前記エアコン装置の運転動作を制御する１つのＣＰＵと、前記エアコン装置に付帯し前記ＣＰＵ間の運転データの送受信を行う送受信部と、前記ＣＰＵに接続され、前記エアコン装置の運転状態、運転状況の各データを表示する表示装置と、前記エアコン装置の運転状態、運転状況に基づいたブザー音を出力する音声出力装置と、前記エアコン装置の運転プログラム、運転状態、運転状況の各データを格納するデータ格納装置と、前記エアコン装置の運転動作と連携して映像空間を演出する映像演出装置と、前記エアコン装置の運転動作と連携して音響空間を演出する音響演出装置と、前記エアコン装置の運転動作と連携して芳香空間を演出する芳香演出装置とを備え、前記データ格納装置は、データ受信装置と接続されており、リアルタイムでデータ格納装置の記憶データを追加、更新することができ、新しいコンセプトの映像、音響、芳香空間を演出できるので消費者の購買意欲を高め、企業経営に貢献できる。
【００１２】
第２の発明は、第１の発明において、前記データ受信装置は、インターネット接続装置と接続されており、リアルタイムでインターネットに接続しデータ追加、更新を行うことができる。
【００１３】
第３の発明は、第１から第２のいずれかの発明において、前記仮想現実マルチメディア空間は、仮想的な映像、音響、芳香、空質、気流の統合制御により、景観、人、物、生物および架空創造の世界を家庭内に実現することができる。
【００１４】
第４の発明は、第３の発明において、前記空質、気流の統合制御は、エアコン装置により行うことを特徴としている。
【００１５】
第５の発明は、第１の発明において、前記ＣＰＵ、前記表示装置、前記音声出力装置、前記データ格納装置として家庭用パーソナルコンピュータを適用し、前記ＣＰＵ、前記データ格納装置、前記映像演出装置、前記音響演出装置、前記芳香演出装置、前記エアコン装置を統合制御することにより、仮想現実マルチメディア空間を創造することができる。
【００１６】
（実施の形態１）
以下、添付の図面を用いて本発明に係る統合型エアコン装置５の実施の形態を説明する。図１は、本実施の形態のシステム構成を示した図である。本発明は、ｎ台（ｎはｎ≧１
の整数）のエアコン装置に対して適用可能であるが、ここでは、３台（ｎ＝３）のエアコン装置とした例を用いて説明する。３台のエアコン装置２１、２２、２３のそれぞれには送受信部が取り付けられており、従来のようなＣＰＵ１１、表示装置１２、音声出力装置１３、データ格納装置１４が取り外されている。これら３台のエアコン装置の運転動作を統合制御しているのがＣＰＵ４１である。ＣＰＵ４１には、送受信機能が組み込まれている。
【００１７】
ＣＰＵ４１では、エアコン装置２１、２２、２３のおのおのに対応した運転データを各エアコン装置に送信し、各エアコン装置に備えられた送受信部はその運転データに基づいて各エアコン装置を運転させる。そして、各エアコン装置の運転状態、運転状況の各データをそれぞれの送受信部はＣＰＵ４１に送信し、ＣＰＵ４１はそれらを受信後、表示装置４２に表示する。また、ＣＰＵ４１は、各エアコン装置の運転状態、運転状況の各データに基づいたブザー音を出力する音声出力装置４３を有している。また、ＣＰＵ４１には、各エアコン装置の運転プログラム、運転状態、運転状況の各データを格納するデータ格納装置４４を有している。データ格納装置４４にはＲＯＭ、ＲＡＭ、ストレージデバイスなどを使用する方法がある。
【００１８】
さらに、ＣＰＵ４１には各エアコン装置の運転動作と連携して映像空間を演出する映像演出装置１、音響空間を演出する音響演出装置２、芳香空間を演出する芳香演出装置３も取り付けられている。これらの演出装置は仮想現実マルチメディア空間を創造することができ、リアルタイムに空間演出、空間創造を行うことが可能である。例えば、ラベンダー畑の風景を映像演出装置１で空間演出しつつ、音響演出装置２ではそよ風の音、花々の揺れる音を演出し、芳香演出装置３でラベンダーの香りを演出する。そして、各エアコン装置は温度調整、調湿により空質制御しつつ清風、そよ風気流モードにする。これら一連の仮想現実マルチメディア空間をＣＰＵ４１で統合制御する。本発明の構成によれば、先に述べた仮想現実マルチメディア空間などの人の五感に訴える世界各地の風景や、創造の世界、宇宙空間、夢物語などを簡単かつ低コストで実現することができる。
【００１９】
これらエアコン装置２１、２２、２３の運転プログラム、運転状態、運転状況の各データ、および仮想現実マルチメディア空間創造プログラムはすべてデータ格納装置４４に格納されている。これらのプログラムは必要に応じ、追加、更新するようにすれば常に新鮮なマルチメディア空間を提供できる。そして、ＣＰＵ４１、表示装置４２、音声出力装置４３、データ格納装置４４は、家庭用パーソナルコンピュータ４を流用できるような統合型エアコン装置５を構築すれば、一層の低コスト化を図ることができる。
【００２０】
家庭用パーソナルコンピュータ４が、データ受信装置６およびインターネット接続装置７を経由しインターネット網などを介して統合型エアコン装置５の提供元プロバイダサーバに接続できれば、各エアコン装置の運転プログラムや仮想現実マルチメディア空間創造プログラムの追加、更新がオンデマンドで迅速、容易である。このような構成にすれば、ＣＰＵ、表示装置、音声出力装置、データ格納装置は一つでよく、それぞれの資源を最大限に活用でき、また合理的かつ効率的に、統合型エアコン装置の連携動作を確保できる。これら、ＣＰＵ４１、データ格納装置４４、映像演出装置１、音響演出装置２、芳香演出装置３、エアコン装置２１〜２３を統合制御して、今までにない仮想現実マルチメディア空間を創造することが可能である。
【００２１】
以上、本発明の一実施例について述べたが、本発明は前記の範囲を逸脱しない範囲の他の実施例であっても実現可能である。
【産業上の利用可能性】
【００２２】
本発明にかかる統合型エアコン装置は、デジタル家電等に適用できる。
【図面の簡単な説明】
【００２３】
【図１】本実施の形態１における統合型エアコン装置のシステム構成図
【図２】従来のエアコン装置におけるシステム構成図
【符号の説明】
【００２４】
１  映像演出装置
２  音響演出装置
３  芳香演出装置
４  家庭用パーソナルコンピュータ
５  統合型エアコン装置
６  データ受信装置
７  インターネット接続装置
【図１】
2008101801.tif 000003
【図２】
2008101801.tif 000004